【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
送信端末から送信された電子メールを当該電子メールの宛先に中継する中継処理装置であって、
送信端末から送信された電子メールであって、送信端末で分割されていない電子メールまたは送信端末で複数に分割されて送信された複数の分割メールを取得する取得手段と、
前記取得手段により取得された分割メールのデータサイズを当該分割メールの宛先に対して登録する登録手段と、
前記取得手段により取得された分割されていない電子メールのデータサイズと、当該電子メールの宛先に対して前記登録手段により登録されたデータサイズとに従って、当該分割されていない電子メールを分割するかを判定する判定手段と、
前記判定手段により、当該分割されていない電子メールを分割すると判定された場合に、当該分割されていない電子メールを分割する分割手段と、
前記分割手段により当該分割されていない電子メールが分割されることで得られた分割メールを中継するべく送信する送信手段と、
を備えることを特徴とする中継処理装置。
【請求項２】
前記分割手段は、前記取得手段により取得された分割されていない電子メールを、当該電子メールの宛先に対して前記登録手段により登録されたデータサイズ以下、又は該データサイズよりも小さいサイズになるように分割することを特徴とする請求項１に記載の中継処理装置。
【請求項３】
前記登録手段は、前記取得手段により取得された分割メールのデータサイズを当該分割メールの宛先ごとに登録することを特徴とする請求項１又は２に記載の中継処理装置。
【請求項４】
前記取得手段で取得された分割されていない電子メールに含まれるデータに対して所定の処理を行う処理手段を更に備え、
前記判定手段は、前記処理手段で処理されたデータを含む電子メールのデータサイズと、当該電子メールの宛先に対して前記登録手段により登録されたデータサイズとに従って、前記処理手段で処理されたデータを含む電子メールを分割するかを判定し、
前記分割手段は、前記判定手段により、前記処理手段で処理されたデータを含む電子メールを分割すると判定された場合に、当該電子メールを分割することを特徴とする請求項１乃至３の何れか１項に記載の中継処理装置。
【請求項５】
前記判定手段は、前記処理手段で処理されたデータを含む電子メールのデータサイズが、当該電子メールの宛先に対して前記登録手段により登録されたデータサイズよりも大きいか否か、又は当該電子メールの宛先に対して前記登録手段により登録されたデータサイズ以上であるか否かを判定することにより、前記処理手段で処理されたデータを含む電子メールを分割するかを判定することを特徴とする請求項４に記載の中継処理装置。
【請求項６】
前記取得手段は、複数の宛先が設定されている分割されていない電子メールを取得し、
前記処理手段は、前記取得手段で取得された、複数の宛先が設定されている分割されていない電子メールに含まれるデータに対して所定の処理を行い、
前記処理手段で処理されるデータを含む電子メールに設定された複数の宛先を個々の宛先に分割するメール分割手段を更に備え、
前記判定手段は、更に、前記処理手段で処理されたデータを含む電子メールのデータサイズと、前記メール分割手段により分割された宛先に対して前記登録手段により登録されたデータサイズとに従って、前記処理手段で処理されたデータを含む電子メールを分割するかを、前記メール分割手段により分割される宛先ごとに判定し、
前記分割手段は、前記判定手段により分割すると判定された宛先の電子メールをサイズ分割することを特徴とする請求項４又は５に記載の中継処理装置。
【請求項７】
前記処理手段により行われる所定の処理は、前記取得手段で取得される電子メールに含まれるデータのファイル形式を他のファイル形式に変換する変換処理、又は当該電子メールにデータを付加する付加処理、又は当該電子メールに含まれるデータの検査を行うデータ検査処理の何れかを含むことを特徴とする請求項４乃至６の何れか１項に記載の中継処理装置。
【請求項８】
前記変換処理は、前記取得手段で取得される電子メールに含まれるデータを暗号化することにより、当該電子メールに含まれるデータのファイル形式を他のファイル形式に変換する処理であることを特徴とする請求項７に記載の中継処理装置。
【請求項９】
前記処理手段により行われる処理の内容に対応して、当該内容の処理を実行する条件を示す実行条件を記憶する条件記憶手段と、
前記取得手段で取得される分割されていない電子メールに含まれるデータが、前記条件記憶手段に記憶された実行条件に合致するかを判定する条件判定手段と、
前記条件判定手段で、前記取得手段で取得される分割されていない電子メールに含まれるデータが、前記条件記憶手段に記憶された実行条件に合致すると判定された場合に、当該合致すると判定された実行条件に対応して前記条件記憶手段に記憶されている処理の内容を、前記処理手段により行われる所定の処理の内容として決定する決定手段と、
を更に備え、
前記処理手段は、前記決定手段で決定された内容の処理を、前記取得手段で取得される電子メールに含まれるデータに対して行うことを特徴とする請求項４乃至８の何れか１項に記載の中継処理装置。
【請求項１０】
前記取得手段で取得された分割メールを結合する結合手段を更に備え、
前記処理手段は、前記結合手段で結合されることで得られる電子メールに含まれるデータに対して、前記所定の処理を行うことを特徴とする請求項４乃至９の何れか１項に記載の中継処理装置。
【請求項１１】
前記登録手段は、前記取得手段により取得された各分割メールの各データサイズのうち最大のデータサイズを、当該各分割メールの宛先に対して登録することを特徴とする請求項１乃至１０の何れか１項に記載の中継処理装置。
【請求項１２】
前記送信端末は、任意の送信端末であることを特徴とする請求項１乃至１１の何れか１項に記載の中継処理装置。
【請求項１３】
送信端末から送信された電子メールを当該電子メールの宛先に中継する中継処理装置の制御方法であって、
前記中継処理装置の取得手段が、送信端末から送信された電子メールであって、送信端末で分割されていない電子メールまたは送信端末で複数に分割されて送信された複数の分割メールを取得する取得工程と、
前記中継処理装置の登録手段が、前記取得工程により取得された分割メールのデータサイズを当該分割メールの宛先に対して登録する登録工程と、
前記中継処理装置の判定手段が、前記取得工程により取得された分割されていない電子メールのデータサイズと、当該電子メールの宛先に対して前記登録手段により登録されたデータサイズとに従って、当該分割されていない電子メールを分割するかを判定する判定工程と、
前記中継処理装置の分割手段が、前記判定工程により、当該分割されていない電子メールを分割すると判定された場合に、当該分割されていない電子メールをサイズ分割する分割工程と、
前記中継処理装置の送信手段が、前記分割工程により当該分割されていない電子メールが分割されることで得られた分割メールを中継するべく送信する送信工程と、
を備えることを特徴とする制御方法。
【請求項１４】
送信端末から送信された電子メールを当該電子メールの宛先に中継する中継処理装置で読み取り実行可能なプログラムであって、
前記中継処理装置を、
送信端末から送信された電子メールであって、送信端末で分割されていない電子メールまたは送信端末で複数に分割されて送信された複数の分割メールを取得する取得手段と、
前記取得手段により取得された分割メールのデータサイズを当該分割メールの宛先に対して登録する登録手段と、
前記取得手段により取得された分割されていない電子メールのデータサイズと、当該電子メールの宛先に対して前記登録手段により登録されたデータサイズとに従って、当該分割されていない電子メールを分割するかを判定する判定手段と、
前記判定手段により、当該分割されていない電子メールを分割すると判定された場合に、当該分割されていない電子メールを分割する分割手段と、
前記分割手段により当該分割されていない電子メールが分割されることで得られた分割メールを中継するべく送信する送信手段として機能させることを特徴とするプログラム。
【手続補正２】
【補正対象書類名】明細書
【補正対象項目名】００１４
【補正方法】変更
【補正の内容】
【００１４】
本発明の目的は、送信端末から送信された分割メールを取得し、当該分割メールのデータサイズを当該分割メールの宛先に対して登録し、送信端末から送信された分割されていない電子メールを取得して当該電子メールのデータサイズと、当該電子メールの宛先に対して登録されたデータサイズとに従って、当該分割されていない電子メールを分割するかを判定し、当該分割されていない電子メールを分割すると判定された場合に、当該分割されていない電子メールを分割することで得られた分割メールを中継するべく送信することにより、宛先に対する制限サイズのサーバへの登録作業を軽減すると共に、当該宛先に対するデータサイズの電子メールを効率的に送信することである。
【手続補正３】
【補正対象書類名】明細書
【補正対象項目名】００１５
【補正方法】変更
【補正の内容】
【００１５】
本発明は、送信端末から送信された電子メールを当該電子メールの宛先に中継する中継処理装置であって、送信端末から送信された電子メールであって、送信端末で分割されていない電子メールまたは送信端末で複数に分割されて送信された複数の分割メールを取得する取得手段と、前記取得手段により取得された分割メールのデータサイズを当該分割メールの宛先に対して登録する登録手段と、前記取得手段により取得された分割されていない電子メールのデータサイズと、当該電子メールの宛先に対して前記登録手段により登録されたデータサイズとに従って、当該分割されていない電子メールを分割するかを判定する判定手段と、前記判定手段により、当該分割されていない電子メールを分割すると判定された場合に、当該分割されていない電子メールを分割する分割手段と、前記分割手段により当該分割されていない電子メールが分割されることで得られた分割メールを中継するべく送信する送信手段と、を備えることを特徴とする。
【手続補正４】
【補正対象書類名】明細書
【補正対象項目名】００１６
【補正方法】変更
【補正の内容】
【００１６】
また、本発明は、送信端末から送信された電子メールを当該電子メールの宛先に中継する中継処理装置の制御方法であって、前記中継処理装置の取得手段が、送信端末から送信された電子メールであって、送信端末で分割されていない電子メールまたは送信端末で複数に分割されて送信された複数の分割メールを取得する取得工程と、前記中継処理装置の登録手段が、前記取得工程により取得された分割メールのデータサイズを当該分割メールの宛先に対して登録する登録工程と、前記中継処理装置の判定手段が、前記取得工程により取得された分割されていない電子メールのデータサイズと、当該電子メールの宛先に対して前記登録手段により登録されたデータサイズとに従って、当該分割されていない電子メールを分割するかを判定する判定工程と、前記中継処理装置の分割手段が、前記判定工程により、当該分割されていない電子メールを分割すると判定された場合に、当該分割されていない電子メールをサイズ分割する分割工程と、前記中継処理装置の送信手段が、前記分割工程により当該分割されていない電子メールが分割されることで得られた分割メールを中継するべく送信する送信工程と、を備えることを特徴とする。
【手続補正５】
【補正対象書類名】明細書
【補正対象項目名】００１７
【補正方法】変更
【補正の内容】
【００１７】
また、本発明は、送信端末から送信された電子メールを当該電子メールの宛先に中継する中継処理装置で読み取り実行可能なプログラムであって、前記中継処理装置を、送信端末から送信された電子メールであって、送信端末で分割されていない電子メールまたは送信端末で複数に分割されて送信された複数の分割メールを取得する取得手段と、前記取得手段により取得された分割メールのデータサイズを当該分割メールの宛先に対して登録する登録手段と、前記取得手段により取得された分割されていない電子メールのデータサイズと、当該電子メールの宛先に対して前記登録手段により登録されたデータサイズとに従って、当該分割されていない電子メールを分割するかを判定する判定手段と、前記判定手段により、当該分割されていない電子メールを分割すると判定された場合に、当該分割されていない電子メールを分割する分割手段と、前記分割手段により当該分割されていない電子メールが分割されることで得られた分割メールを中継するべく送信する送信手段として機能させることを特徴とする。
【手続補正６】
【補正対象書類名】明細書
【補正対象項目名】００１８
【補正方法】変更
【補正の内容】
【００１８】
本発明によれば、宛先に対する制限サイズのサーバへの登録作業を軽減すると共に、当該宛先に対するデータサイズの電子メールを効率的に送信することができる。